(57)【要約】【課題】複数の表示装置の表示面が、相互に重なるような配置になった場合に、当該複数の表示装置を連携させた表示制御を実現する。【解決手段】携帯端末１０は表示面１６１Ａを、携帯端末２０は表示面２６１Ａを含む。携帯端末１０は、表示面１６１Ａに垂直な方向から見て、表示面１６１Ａと表示面２６１Ａとが重なるかどうかを検知する（Ｓ１，Ｓ２）。携帯端末１０は、重なることを検知した場合（Ｓ３；ＹＥＳ）、表示面１６１Ａに表示されている第２表示情報に応じた第１表示情報を、携帯端末２０へ出力する（ステップＳ１３〜１５）。携帯端末２０は、携帯端末１０から第１表示情報を取得し（Ｓ２４）、この第１表示情報を、表示面２６１Ａに表示する（Ｓ２５、Ｓ２６）。【選択図】図３
2018128912.tif 000002
【特許請求の範囲】
【請求項１】
第１表示面を含む表示部と、
前記第１表示面に垂直な方向から見て、前記第１表示面と、外部の表示装置が有する第２表示面との少なくとも一部が重なるかどうかを検知する検知部と、
前記重なることが検知された場合に、前記第２表示面に表示されている第２表示情報に応じた第１表示情報を取得する取得部と、
取得された前記第１表示情報を、前記第１表示面に表示する表示制御部と
を備える表示装置。
【請求項２】
前記第１表示情報は、前記第２表示情報に含まれる画像の複製を含む
ことを特徴とする請求項１に記載の表示装置。
【請求項３】
前記検知部は、
前記第１表示面と前記第２表示面とが重なったときの前記第１表示面と前記第２表示面との位置関係を、更に検知し、
前記表示制御部は、
検知された前記位置関係に応じて、前記第１表示情報の表示を変化させる
ことを特徴とする請求項１又は請求項２に記載の表示装置。
【請求項４】
前記第１表示情報の表示中に、ユーザからの情報の入力を受け付ける受付部を備え、
前記表示制御部は、
受け付けられた前記情報の入力に応じて、前記第１表示情報の表示を制御する
ことを特徴とする請求項１から請求項３のいずれか１項に記載の表示装置。
【請求項５】
前記第１表示面は、前記第２表示面を覆うことができるカバー部に設けられ、
前記表示制御部は、
前記カバー部が前記第２表示面を覆うときに前記第２表示面に表示されている第２表示情報に応じた前記第１表示情報を、前記第１表示面に表示する
ことを特徴とする請求項１に記載の表示装置。
【請求項６】
第２表示面を含む表示部と、
前記第２表示面に第２表示情報を表示する表示制御部と、
前記第２表示面に垂直な方向から見て、前記第２表示面と、外部の表示装置が有する第１表示面との少なくとも一部が重なるかどうかを検知する検知部と、
前記重なることが検知された場合、前記第２表示面に表示されている前記第２表示情報に応じた第１表示情報を、前記外部の表示装置へ出力する出力部と
を備える表示装置。
【請求項７】
前記外部の表示装置は、前記第２表示面を覆うことができるカバー部を備え、
前記出力部は、
前記カバー部が前記第２表示面を覆うときに前記第２表示面に表示されている第２表示情報に応じた前記第１表示情報を、前記外部の表示装置へ出力し、
前記表示制御部は、
前記カバー部が前記第２表示面を覆うと、前記第２表示面の表示を停止する
ことを特徴とする請求項６に記載の表示装置。
【請求項８】
第１表示面を含む表示部を有する表示装置のコンピュータに、
前記第１表示面に垂直な方向から見て、前記第１表示面と、外部の表示装置が有する第２表示面との少なくとも一部が重なるかどうかを検知するステップと、
前記重なることが検知された場合に、前記第２表示面に表示されている第２表示情報に応じた第１表示情報を取得するステップと、
取得された前記第１表示情報を、前記第１表示面に表示するステップと
を実行させるためのプログラム。
【請求項９】
第２表示面を含む表示部を有する表示装置のコンピュータに、
前記第２表示面に第２表示情報を表示するステップと、
前記第２表示面に垂直な方向から見て、前記第２表示面と、外部の表示装置が有する第１表示面との少なくとも一部が重なるかどうかを検知するステップと、
前記重なることが検知された場合、前記第２表示面に表示されている前記第２表示情報に応じた第１表示情報を、前記外部の表示装置へ出力するステップと
を実行させるためのプログラム。
【請求項１０】
第１表示面を含む表示部を備える第１表示装置と、
第２表示面を含む表示部を備える第２表示装置と
を備える表示システムであって、
前記第２表示装置は、
前記第２表示面に第２表示情報を表示する表示制御部と、
前記第２表示面に垂直な方向から見て、前記第２表示面と前記第１表示面との少なくとも一部が重なるかどうかを検知する検知部と、
前記重なることが検知された場合、前記第２表示面に表示されている前記第２表示情報に応じた第１表示情報を、前記第１表示装置へ出力する出力部と
を有し、
前記第１表示装置は、
前記第１表示面に垂直な方向から見て、前記第１表示面と前記第２表示面との少なくとも一部が重なるかどうかを検知する検知部と、
前記重なることが検知された場合に、前記第２表示装置により出力された前記第１表示情報を取得する取得部と、
取得された前記第１表示情報を、前記第１表示面に表示する表示制御部と
を有する表示システム。
【発明の詳細な説明】
【技術分野】
【０００１】
本発明は、複数の表示装置を連携させた表示制御に関する。
【背景技術】
【０００２】
特許文献１には、可搬型のデバイスを複数配置し、これらのデバイスのディスプレイを連携させて、一つの大きな画面を表示することが記載されている。また、特許文献１には、各デバイスが、隣接する他のデバイスの位置する方向及び距離を特定して、表示内容を決定することが記載されている。特許文献２には、２つのデバイスを横に隣接配置した場合は、これら２つのデバイスのディスプレイを横長の一つの大きなディスプレイのように扱い、２つのデバイスを縦に隣接配置した場合、これら２つのデバイスのディスプレイを縦長の一つのディスプレイのように扱って、画面を表示することが記載されている。
【先行技術文献】
【特許文献】
【０００３】
【特許文献１】特表２０１３―５１０３４２号公報
【特許文献２】特開２０１５―０９７０９０号公報
【発明の概要】
【発明が解決しようとする課題】
【０００４】
特許文献１，２の発明では、いわゆるマルチディスプレイと同じく、複数のディスプレイを同一平面上に複数配置して、各ディスプレイに、当該平面上の位置に応じた画面を表示させる。しかし、例えばユーザが容易に持ち運ぶことができる表示装置のような場合、複数のディスプレイが平面的でない配置になることがある。
これに対し、本発明は、複数の表示装置の表示面が、相互に重なるような配置になった場合に、当該複数の表示装置を連携させた表示制御を実現することを目的とする。
【課題を解決するための手段】
【０００５】
上述した課題を解決するため、本発明の一の表示装置は、第１表示面を含む表示部と、前記第１表示面に垂直な方向から見て、前記第１表示面と、外部の表示装置が有する第２表示面との少なくとも一部が重なるかどうかを検知する検知部と、前記重なることが検知された場合に、前記第２表示面に表示されている第２表示情報に応じた第１表示情報を取得する取得部と、取得された前記第１表示情報を、前記第１表示面に表示する表示制御部とを備える。
本発明の表示装置において、前記第１表示情報は、前記第２表示情報に含まれる画像の複製を含んでもよい。
また、本発明の表示装置において、前記検知部は、前記第１表示面と前記第２表示面とが重なったときの前記第１表示面と前記第２表示面との位置関係を、更に検知し、前記表示制御部は、検知された前記位置関係に応じて、前記第１表示情報の表示を変化させてもよい。
また、本発明の表示装置は、前記第１表示情報の表示中に、ユーザからの情報の入力を受け付ける受付部を備え、前記表示制御部は、受け付けられた前記情報の入力に応じて、前記第１表示情報の表示を制御してもよい。
また、本発明の表示装置において、前記第１表示面は、前記第２表示面を覆うことができるカバー部に設けられ、前記表示制御部は、前記カバー部が前記第２表示面を覆うときに前記第２表示面に表示されている第２表示情報に応じた前記第１表示情報を、前記第１表示面に表示してもよい。
【０００６】
上述した課題を解決するため、本発明の他の表示装置は、第２表示面を含む表示部と、前記第２表示面に第２表示情報を表示する表示制御部と、前記第２表示面に垂直な方向から見て、前記第２表示面と、外部の表示装置が有する第１表示面との少なくとも一部が重なるかどうかを検知する検知部と、前記重なることが検知された場合、前記第２表示面に表示されている前記第２表示情報に応じた第１表示情報を、前記外部の表示装置へ出力する出力部とを備える。
この表示装置において、前記外部の表示装置は、前記第２表示面を覆うことができるカバー部を備え、前記出力部は、前記カバー部が前記第２表示面を覆うときに前記第２表示面に表示されている第２表示情報に応じた前記第１表示情報を、前記外部の表示装置へ出力し、前記表示制御部は、前記カバー部が前記第２表示面を覆うと、前記第２表示面の表示を停止してもよい。
【０００７】
本発明の一のプログラムは、第１表示面を含む表示部を有する表示装置のコンピュータに、前記第１表示面に垂直な方向から見て、前記第１表示面と、外部の表示装置が有する第２表示面との少なくとも一部が重なるかどうかを検知するステップと、前記重なることが検知された場合に、前記第２表示面に表示されている第２表示情報に応じた第１表示情報を取得するステップと、取得された前記第１表示情報を、前記第１表示面に表示するステップとを実行させるためのプログラムである。
【０００８】
本発明の他のプログラムは、第２表示面を含む表示部を有する表示装置のコンピュータに、前記第２表示面に第２表示情報を表示するステップと、前記第２表示面に垂直な方向から見て、前記第２表示面と、外部の表示装置が有する第１表示面との少なくとも一部が重なるかどうかを検知するステップと、前記重なることが検知された場合、前記第２表示面に表示されている前記第２表示情報に応じた第１表示情報を、前記外部の表示装置へ出力するステップとを実行させるためのプログラムである。
【０００９】
本発明の表示システムは、第１表示面を含む表示部を備える第１表示装置と、第２表示面を含む表示部を備える第２表示装置とを備える表示システムであって、前記第２表示装置は、前記第２表示面に第２表示情報を表示する表示制御部と、前記第２表示面に垂直な方向から見て、前記第２表示面と前記第１表示面との少なくとも一部が重なるかどうかを検知する検知部と、前記重なることが検知された場合、前記第２表示面に表示されている前記第２表示情報に応じた第１表示情報を、前記第１表示装置へ出力する出力部とを有し、前記第１表示装置は、前記第１表示面に垂直な方向から見て、前記第１表示面と前記第２表示面との少なくとも一部が重なるかどうかを検知する検知部と、前記重なることが検知された場合に、前記第２表示装置により出力された前記第１表示情報を取得する取得部と、取得された前記第１表示情報を、前記第１表示面に表示する表示制御部とを有する表示システムである。
【発明の効果】
【００１０】
本発明によれば、複数の表示装置の表示面が相互に重なるような配置になった場合に、当該複数の表示装置を連携させた表示制御を実現することができる。
【図面の簡単な説明】
【００１１】
【図１】本発明の第１実施形態に係る表示システムの全体構成を示す図。
【図２】同実施形態に係る携帯端末の構成の一例を示す図。
【図３】同実施形態に係る表示システムで実行される処理を示すフローチャート。
【図４】同実施形態に係る表示システムで実行される表示制御の具体例の説明図。
【図５】同実施形態に係る表示システムで実行される表示制御の具体例の説明図。
【図６】同実施形態に係る表示システムで実行される表示制御の具体例の説明図。
【図７】同実施形態に係る表示システムで実行される表示制御の具体例の説明図。
【図８】同実施形態に係る表示面同士の水平方向における位置関係に応じた表示制御の説明図。
【図９】同実施形態に係る表示面同士の垂直な方向における位置関係に応じた表示制御の説明図。
【図１０】同実施形態に係る表示制御の他の具体例の説明図。
【図１１】本発明の第２実施形態に係る表示システムの全体構成を示す図。
【図１２】同実施形態に係る表示システムの全体構成を示す図。
【図１３】同実施形態に係る携帯端末、及びカバー型端末の構成の一例を示す図。
【図１４】同実施形態に係る表示システムで実行される処理を示すフローチャート。
【図１５】同実施形態に係る表示システムで実行される表示制御の具体例の説明図。
【図１６】同実施形態に係る表示システムで実行される表示制御の具体例の説明図。
【図１７】同実施形態に係る表示システムの全体構成の他の例を示す図。
【図１８】同実施形態に係る表示システムの全体構成の他の例を示す図。
【図１９】同実施形態に係る表示システムの全体構成の他の例を示す図。
【図２０】同実施形態に係る表示システムの全体構成の他の例を示す図。
【図２１】同実施形態に係る携帯端末、及びカバー型端末の構成の一例を示す図。
【発明を実施するための形態】
【００１２】
以下、図面を参照して本発明の実施形態を説明する。
［第１実施形態］
図１は、本発明の第１実施形態に係る表示システム１の全体構成を示す図である。表示システム１は、携帯端末１０と、携帯端末２０とを備える。携帯端末１０，２０は、ここではスマートフォンである。ただし、携帯端末１０，２０は、フィーチャーフォン、タブレット型コンピュータ、又はその他の携帯端末であってもよい。また、携帯端末１０，２０は、同じユーザにより使用されてもよいし、異なるユーザにより使用されてもよい。携帯端末１０と携帯端末２０とは、互いに近接したときに、無線による通信を行う。通信の方式は、ここではＢｌｕｅｔｏｏｔｈ（登録商標）であるが、Ｗｉ−Ｆｉ（登録商標）又はその他の方式であってもよい。
【００１３】
携帯端末１０は、表示面１６１Ａ（第２表示面）を正面に有する表示装置（第２表示装置）である。携帯端末２０は、表示面２６１Ａ（第１表示面）を正面に有する表示装置（第１表示装置）である。表示面１６１Ａ，２６１Ａは、本実施形態では同一形状、且つ同一寸法であるものとするが、形状及び寸法の一部が異なっていてもよい。表示面１６１Ａ，２６１Ａは、ここでは矩形であるが、その他の形状であってもよい。
【００１４】
図２は、携帯端末１０，２０の構成の一例を示す図である。携帯端末１０は、物理的には、プロセッサ１１、メモリ１２、ストレージ１３、通信装置１４、入力装置１５、及び出力装置１６等を含むコンピュータ装置として構成される。
なお、以下の説明では、「装置」という文言は、回路、デバイス、ユニット等に読み替えることができる。携帯端末１０のハードウェア構成は、図に示した各装置を１つ又は複数含むように構成されてもよいし、一部の装置を含まずに構成されてもよい。
【００１５】
プロセッサ１１は、例えば、オペレーティングシステムを動作させてコンピュータ全体を制御する。プロセッサ１１は、周辺装置とのインターフェース、制御装置、演算装置、レジスタ等を含む中央処理装置（ＣＰＵ：Central Processing Unit）で構成されてもよい。
また、プロセッサ１１は、プログラム（プログラムコード）、ソフトウェアモジュールやデータを、ストレージ１３及び／又は通信装置１４からメモリ１２に読み出し、これらに従って各種の処理を実行する。プログラムとしては、上述の実施の形態で説明した動作の少なくとも一部をコンピュータに実行させるプログラムが用いられる。各種処理は、１つのプロセッサ１１で実行される旨を説明してきたが、２以上のプロセッサ１１により同時又は逐次に実行されてもよい。プロセッサ１１は、１以上のチップで実装されてもよい。なお、プログラムは、電気通信回線を介して受信されてもよい。
【００１６】
メモリ１２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）等の少なくとも１つで構成されてもよい。メモリ１２は、レジスタ、キャッシュ、メインメモリ（主記憶装置）等と呼ばれてもよい。
【００１７】
ストレージ１３は、コンピュータ読み取り可能な記録媒体であり、例えば、ＣＤ−ＲＯＭ（Compact Disc ＲＯＭ）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つで構成されてもよい。ストレージ１３は、補助記憶装置と呼ばれてもよい。
【００１８】
通信装置１４は、無線ネットワークを介してコンピュータ間の通信を行うためのハードウェア（送受信デバイス）であり、例えばネットワークデバイス、ネットワークコントローラ、ネットワークカード、通信モジュールなどともいう。
【００１９】
入力装置１５は、外部からの入力を受け付ける入力デバイス（例えば、キーボード、マウス、マイクロフォン、スイッチ、ボタン、センサ類）である。入力装置１５は、撮像部１５１、及びセンサ部１５２を含む。撮像部１５１は、撮像を行い、撮像により得られた画像を示す画像データを生成する。撮像部１５１は、例えば、撮像素子及びレンズを含む。撮像部１５１は、携帯端末１０の背後の方向を撮像する。センサ部１５２は、１又は複数のセンサを含む。センサ部１５２は、近接センサを含む。近接センサは、表示面１６１Ａへの物体の近接を検知するセンサである。ここでいう「近接」は、接触、及び非接触のいずれも含む。また、センサ部１５２は、タッチパネルを含む。タッチパネルは、表示面１６１Ａに重ねて配置され、物体の接触を検知する。このタッチパネルは、ユーザからの情報の入力を受け付けるために用いられる。近接センサ、及びタッチセンサの検知の方式は、特に問わない。
【００２０】
出力装置１６は、外部への出力を実施する出力デバイス（例えば、ディスプレイ、スピーカ、ＬＥＤランプ等）である。出力装置１６は、表示部１６１を含む。表示部１６１は、表示面１６１Ａに画像を表示する。表示部１６１は、例えば液晶ディスプレイであるが、これ以外の表示部であってもよい。
【００２１】
また、プロセッサ１１やメモリ１２等の各装置は、情報を通信するためのバスで接続される。
【００２２】
また、携帯端末１０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１１は、これらのハードウェアの少なくとも１つで実装されてもよい。
携帯端末１０における各機能は、プロセッサ１１、メモリ１２等のハードウェア上に所定のソフトウェア（プログラム）を読み込ませることで、プロセッサ１１が演算を行い、通信装置１４による通信や、メモリ１２及びストレージ１３におけるデータの読み出し及び／又は書き込みを制御することで実現される。
【００２３】
携帯端末２０は、物理的には、プロセッサ２１、メモリ２２、ストレージ２３、通信装置２４、入力装置２５、及び出力装置２６等を含むコンピュータ装置として構成される。これらの各要素は、ここでは、携帯端末１０の同名の要素と同じ構成であるものとする。また、撮像部２５１、センサ部２５２、及び表示部２６１（表示面２６１Ａ）の各構成も、それぞれ撮像部１５１、センサ部１５２、及び表示部１６１（表示面１６１Ａ）と同じである。
【００２４】
次に、携帯端末１０のプロセッサ１１、及び携帯端末２０のプロセッサ２１の機能構成を説明する。プロセッサ１１は、表示制御部１１１、検知部１１２、及び出力部１１３を含む。
表示制御部１１１は、表示部１６を制御して、表示面１６１Ａに第２表示情報を表示する。第２表示情報は、表示面１６１Ａに表示される情報で、例えば文字、記号、図形、写真等の要素を含むコンテンツである。表示制御部１１１は、例えば、ストレージ１３に記憶されたプログラムに基づいて、各種の画面を表示する。かかるプログラムは、例えばウェブブラウザであるが、表示面１６１Ａへの情報の表示を伴う機能を含むプログラムであればよい。
【００２５】
検知部１１２は、表示面１６１Ａに垂直な方向から見て、表示面１６１Ａと表示面２６１Ａとの少なくとも一部が重なるかどうかを検知する。このように、表示面１６１Ａと表示面２６１Ａとの重なりの有無を検知することを、以下では「重なり検知」という。検知部１１２は、センサ部１５２により検知された情報に基づいて、重なり検知を行う。検知部１１２は、例えばタッチパネルに物体が接触したことを検知したり、近接センサで物体の近接を検知したりすることにより、重なり検知を行う。当該物体が携帯端末２０の背面である場合、近接センサにより当該背面の近接が検知されるからである。
【００２６】
なお、検知部１１２は、表示面１６１Ａに垂直な方向から見て、表示面１６１Ａと表示面２６１Ａとが少なくとも一部の領域で重なり合っている場合には、重なっていることを検知する。また、検知部１１２は、表示面１６１Ａと、表示面２６１Ａとが互いに逆の方向を向いている場合も、上記関係を満たしていれば、表示面１６１Ａと表示面２６１Ａとが重なっていることを検知する。また、重なり検知において、携帯端末１０と携帯端末２０とが接触しているかどうかは関係ない。
【００２７】
出力部１１３は、表示面１６１Ａと表示面２６１Ａとが重なることが検知された場合、表示面１６１Ａに表示されている第２表示情報に応じた第１表示情報を、通信装置１４を用いて、携帯端末２０へ出力（つまり、送信）する。第１表示情報は、例えば、第２表示情報に含まれる要素の複製を少なくとも一部に含む。
【００２８】
プロセッサ２１は、検知部２１１と、取得部２１２と、表示制御部２１３と、受付部２１４とを含む。
検知部２１１は、重なり検知を行う。検知部２１１が行う重なり検知は、表示面２６１Ａに垂直な方向から見て、表示面２６１Ａと表示面１６１Ａとの少なくとも一部が重なるかどうかを検知することを示す。検知部２１１は、撮像部２５１、又はセンサ部２５２により検知された情報に基づいて、重なり検知を行う。検知部２１１は、例えば撮像部２５１の撮像した画像から、表示面１６１Ａの存在を検知したり、認識した表示面１６１Ａとの距離を検知したりして、重なり検知を行う。
【００２９】
なお、検知部２１１においても、表示面２６１Ａに垂直な方向から見て、表示面２６１Ａと表示面１６１Ａとが少なくとも一部の領域で重なり合っている場合には、表示面１６１Ａと表示面２６１Ａとが重なっていることを検知する。また、検知部２１１は、表示面２６１Ａと、表示面１６１Ａとが互いに逆の方向を向いている場合も、上記関係を満たしていれば、表示面２６１Ａと表示面１６１Ａとが重なっていることを検知する。
【００３０】
検知部２１１は、更に、表示面２６１Ａと表示面１６１Ａとが重なったときの表示面２６１Ａと表示面１６１Ａとの位置関係を、更に検知することが可能である。この位置関係は、表示面２６１Ａに平行な方向における位置関係、及び表示面２６１Ａに垂直な方向における位置関係の一方、又は両方を含む。
【００３１】
取得部２１２は、表示面２６１Ａと表示面１６１Ａとが重なることが検知された場合に、表示面１６１Ａに表示されている第２表示情報に応じた第１表示情報を、通信装置２４を用いて取得する。この第１表示情報は、出力部１１３によって出力された第１表示情報である。
【００３２】
表示制御部２１３は、表示部２６１を制御して、表示面２６１Ａに第１表示情報を表示する。表示制御部２１３は、例えば、検知部２１１により表示面２６１Ａと表示面１６１Ａとが重なっていることが検知された場合に、取得部２１２により取得された第１表示情報を、表示面２６１Ａに表示する。また、表示制御部２１３は、検知された位置関係に応じて、表示面２６１Ａにおける第１表示情報の表示を変化させることも可能である。
【００３３】
受付部２１４は、ユーザからの情報の入力を受け付ける。かかる情報の入力は、例えば、タッチパネルを用いて行われる。表示制御部２１３は、受け付けられた情報の入力に応じて、表示面２６１Ａにおける第１表示情報の表示を制御する。
【００３４】
図３は、表示システム１で実行される処理を示すフローチャートである。携帯端末１０，２０は、以下で説明する処理を逐次実行する。図４、図５、図６、及び図７は、表示システム１で実行される表示制御の具体例を説明する図である。図４、図５、図６、及び図７において、左側には携帯端末１０又は携帯端末２０を正面から見た図が、右側には当該携帯端末１０又は当該携帯端末２０を下側面から見た図が示されている。
携帯端末１０において表示制御部１１１は、表示部１６１を制御して、表示面１６１Ａに第２表示情報を表示する（ステップＳ１１）。第２表示情報は、ウェブページ等の各種画面を示す。ここでは、図４に示す第２表示情報ＩＭ１１が、表示面１６１Ａに表示されるものとする。次に、検知部１１２は、重なり検知を行う（ステップＳ１２）。そして、検知部１１２は、重なり検知の結果に基づいて、表示面１６１Ａと表示面２６１Ａとが重なるかどうかを判断する（ステップＳ１３）。ステップＳ１３で「ＮＯ」と判断された場合、携帯端末１０の処理は、ステップＳ１２に戻される。表示面１６１Ａと表示面２６１Ａとが重ならない期間は、ステップＳ１２〜Ｓ１３の処理が繰り返される。ユーザが携帯端末１０を使用している期間は、通常、この繰り返しの処理が実行される。
【００３５】
他方、携帯端末２０においては、検知部２１１は重なり検知を行う（ステップＳ２１）。そして、検知部２１１は、重なり検知の結果に基づいて、表示面２６１Ａと表示面１６１Ａとが重なるかどうかを判断する（ステップＳ２２）。ステップＳ２２で「ＮＯ」と判断された場合、携帯端末２０の処理は、ステップＳ２１に戻される。表示面２６１Ａと表示面１６１Ａとが重ならない期間は、ステップＳ２１〜Ｓ２２の処理が繰り返される。ユーザが携帯端末２０を使用している期間は、通常、この繰り返しの処理が実行される。なお、この期間において、表示制御部２１３は、表示面２６１Ａには、ウェブページ等の各種画面を表示していてもよい。
【００３６】
ここで、表示面１６１Ａと表示面２６１Ａとが重なった場合を考える。この場合、携帯端末１０において検知部１１２は、ステップＳ１３で、表示面１６１Ａと表示面２６１Ａとが重なったと判断する（ステップＳ１３；ＹＥＳ）。次に、出力部１１３は、通信装置１４を介して、携帯端末２０から、当該携帯端末２０で重なりが検知された旨の通知を受け付けたかどうかを判断する（ステップＳ１４）。この通知を受け付けるまで（ステップＳ１４；ＮＯ）、出力部１１３は待機する。
【００３７】
他方、携帯端末２０において検知部２１１は、ステップＳ２２で、表示面２６１Ａと表示面１６１Ａとが重なったと判断する（ステップＳ２２；ＹＥＳ）。次に、検知部２１１は、通信装置２４を用いて、重なりが検知された旨を携帯端末１０へ通知する（ステップＳ２３）。本実施形態では、重なりが検知されたときに上方に位置する携帯端末（ここでは、携帯端末２０）から、下方に位置する携帯端末（ここでは、携帯端末１０）へこの通知を行うように決められているものとする。また、検知部２１１は、重なりを検知したときに、携帯端末２０に近接しており通信装置２４を用いて通信可能な携帯端末１０を、通知の相手とする。
【００３８】
携帯端末１０において出力部１１３は、携帯端末１０からの通知を受け付けたと判断すると（ステップＳ１４；ＹＥＳ）、現在表示面１６１Ａに表示されている第２表示情報に応じた第１表示情報を、通信装置１４を用いて、携帯端末２０へ出力する（ステップＳ１５）。
【００３９】
携帯端末２０において取得部２１２は、出力部１１３により出力された第１表示情報を、通信装置２４を用いて取得する（ステップＳ２４）。
【００４０】
次に、表示制御部２１３は、取得された第１表示情報を、表示面２６１Ａに表示する（ステップＳ２５）。ここでは、図５に示す第１表示情報ＩＭ２１が、表示面２６１Ａに表示される。第１表示情報ＩＭ２１は、第２表示情報ＩＭ１１の要素をそのまま複製したものである。よって、見かけ上、表示面１６１Ａと同じ画面が表示面２６１Ａにも表示されたことになる。第２表示情報ＩＭ１１がｗｅｂページである場合、第１表示情報ＩＭ２１もｗｅｂページであるものとする。つまり、本実施形態では、第２表示情報ＩＭ１１のファイル形式と第１表示情報ＩＭ２１のファイル形式とは同じであるものとする。
【００４１】
第１表示情報の表示中において、表示制御部２１３は、受付部２１４が入力を受け付けた情報（例えばタッチパネルの操作）に応じて、第１表示情報の表示を制御する（ステップＳ２６）。第１表示情報がｗｅｂページの場合、受付部２１４は、例えばフリック、ピンチイン・ピンチアウト、タップ等の、ｗｅｂページの表示中に受け付け可能な操作を、受け付けることができる。表示制御部２１３は、受け付けた操作に応じて第１表示情報の表示を制御する。
【００４２】
以上説明したように、ユーザは、携帯端末１０の表示面１６１Ａに、携帯端末２０の表示面２６１Ａを重ねるような簡単な動作をすることで、表示面１６１Ａに表示中の第２表示情報と同じ内容の第１表示情報を、表示面２６１Ａにも表示させることができる。この際、ユーザは、下方に位置する携帯端末１０の表示面１６１Ａの表示内容が、上方に位置する携帯端末２０の表示面２６１Ａに映し出されるような感覚を得ることもできる。
更に、ユーザは、携帯端末２０を操作すると、第１表示情報の表示を自在に制御することもできる。
【００４３】
図６に示すように、表示面１６１Ａと表示面２６１Ａとの全体の領域同士が重なっていなくとも、少なくとも一部の領域が重なっている場合には、図５と同じ表示制御が実現される。また、図７に示すように、表示面１６１Ａと表示面２６１Ａとが互いの逆の方向を向いている場合でも、表示面１６１Ａに垂直な方向から見て、表示面１６１Ａと表示面２６１Ａとが重なっている場合には、図５と同じ表示制御が実現される。もちろん、表示面１６１Ａと表示面２６１Ａとが完全に平行である必要はなく、一方の表示面に対して他方の表示面が傾いていても、上述した表示制御が実現される。
【００４４】
表示制御部２１３は、表示面１６１Ａと表示面２６１Ａとの重なりが検知されたときのこれらの位置関係に応じて、表示面２６１Ａにおける第１表示情報の表示を変化させてもよい。
【００４５】
図８は、表示面２６１Ａと表示面１６１Ａとの水平方向における位置関係に応じた表示制御を説明する図である。図８の上段、中段、下段の各々には、携帯端末１０又は携帯端末２０を正面から見た図が、右側には当該携帯端末１０又は当該携帯端末２０を下側面から見た図が示されている。ここでは、表示面１６１Ａに、図８の上段の図に示すような第２表示情報ＩＭ１２が表示されている。第２表示情報ＩＭ１２は、左上に矩形の領域Ｔ１、右上に矩形の領域Ｔ２、左下に矩形の領域Ｔ３、右下に矩形の領域Ｔ４を含む画像である。
図８の中段の図に示すように、表示面１６１Ａ又は表示面２６１Ａを垂直な方向（正面）から見て、表示面２６１Ａの位置が表示面１６１Ａの位置に対して右下方向にずれている場合を考える。この場合、表示制御部２１３は、表示面１６１Ａの全体の領域のうち、当該垂直な方向から見て、表示面２６１Ａと重なる領域の要素の複製を含む第１表示情報を、表示面２６１Ａに表示する。この例では、表示面１６１Ａの右下に位置する領域Ｔ４の全体、及び領域Ｔ１，Ｔ２，Ｔ３のそれぞれ一部の領域の領域のみを複製した第１表示情報ＩＭ２２Ａが、表示面２６１Ａに表示される。図８の下段の図に示すように、表示面１６１Ａ又は表示面２６１Ａを垂直な方向（正面）から見て、表示面２６１Ａの位置が表示面１６１Ａの位置に対して右上方向にずれている場合を考える。この場合、表示制御部２１３は、表示面１６１Ａの右上に位置する領域Ｔ４の一部の要素の複製のみを複製した第１表示情報ＩＭ２２Ｂを、表示面２６１Ａに表示する。これにより、ユーザは、表示面１６１Ａの表示内容のうち、表示面２６１Ａと重なっている領域のみの要素が表示面２６１Ａに映し出されるような感覚を得ることもできる。
【００４６】
図９は、表示面２６１Ａと表示面１６１Ａとの垂直な方向における位置関係に応じた表示制御を説明する図である。図９において、左側には携帯端末１０又は携帯端末２０を正面から見た図が、右側には当該携帯端末１０又は当該携帯端末２０を下側面から見た図が示されている。
図９に示すように、表示面１６１Ａ又は表示面２６１Ａを垂直な方向（正面）から見て、表示面１６１Ａと表示面２６１Ａとの重なり領域が同じでも、これらの表示面間の距離（換言すると、携帯端末１０と携帯端末２０との端末間の距離）に応じて、第１表示情報の表示が変化させられる。図９の上段の図に示すように、表示制御部２１３は、端末間の距離が比較的小さい第１距離である場合は、縮尺を比較的大きくした第１表示情報ＩＭ２３Ａを表示させる。図９の下段の図に示すように、表示制御部２１３は、端末間の距離が第１距離よりも大きい第２距離である場合は、当該縮尺をそれよりも小さくした第１表示情報ＩＭ２３Ｂを表示させる。表示面１６１Ａと表示面２６１Ａとの重なりが検知された状態のまま、端末間の距離が変更された場合、表示制御部２１３は、当該端末間の距離の連続的な変化に応じて、第１表示情報の縮尺を連続的に変化させてもよい。
なお、図８、及び図９で説明した表示制御、つまり、水平方向における位置関係に応じた表示制御と、垂直な方向における位置関係に応じた表示制御とは、組み合わされてもよい。
【００４７】
更に、表示制御部２１３は、第２表示情報の要素の複製を一部のみに含む第１表示情報、又は当該複製を全く含まない第１表示情報を、表示面２６１Ａに表示してもよい。図１０は、携帯端末１０及び携帯端末２０を正面から見た図を示す図である。ここで、図１０の上段の図に示すように、表示面１６１Ａに、「Ｘ市」という名称のエリアの地図Ｍを含む第２表示情報ＩＭ１４が表示されている場合を考える。
この場合において、表示面１６１Ａと表示面２６１Ａとの重なりが検知された場合、表示制御部２１３は、図１０の中段の図に示すように、複製たる当該地図Ｍに加え、当該エリアに存在する店舗に関する情報追加した第１表示情報ＩＭ２４Ａを、表示面２６１Ａに表示する。これにより、ユーザは、単に表示面１６１Ａの内容を単純に表示面２６１Ａに複製させるだけでなく、表示面１６１Ａの内容に関する追加的な情報も得ることができる。この追加的な情報は、例えば、第２表示情報に応じて一意に決められているが、これに限られない。ユーザにより指定されてもよい。後者の場合、検索する店舗の条件をユーザが指定するという態様がある。
【００４８】
表示制御部２１３は、表示面１６１Ａと表示面２６１Ａとの重なりが検知された場合、表示制御部２１３は、複製たる地図Ｍ等の要素を含めないで、当該地図Ｍに対応するエリアに存在する店舗に関する第１表示情報を、表示面２６１Ａに表示してもよい。図１０の下段の図に示すように、例えばリスト形式で、当該第１表示情報が表示されてもよい。ここでは、表示面２６１Ａには、表示面１６１Ａに表示されている第２表示情報ＩＭ１４に応じた第１表示情報ＩＭ２４Ｂが表示されていることになる。
【００４９】
第１表示情報、及び第２表示情報は前述した情報に限られない。例えば、表示面１６１Ａに表示された地図よりも詳細なエリア、又は広範なエリアの地図が、表示面２６１Ａに表示されてもよい。また、地図又は店舗に関する情報以外の情報が、表示面１６１Ａ及び表示面２６１Ａに表示されてもよい。第１表示情報と第２表示情報とは、表示する情報に何らかの関係があればよい。
【００５０】
［第２実施形態］
次に、本発明の第２実施形態を説明する。本実施形態の表示システムは、携帯端末１０と、カバー型の端末装置（以下「カバー型端末」という。）とを備える。本実施形態では、上述した第１実施形態と同じ符号を付した要素は、上述した第１実施形態と同等に機能する。また、上述した第１実施形態の要素と対応する要素については、符号の末尾に「Ａ」を付して表す。
【００５１】
図１１、及び図１２は、表示システム１Ａの構成を示す図である。図１１、及び図１２には、カバー型端末３０に携帯端末１０が装着された様子を示す平面図、及び下側面図が示されている。図１１に示す図は、カバー型端末３０が開いた状態である「開状態」を示す。図１２に示す図は、カバー型端末３０が閉じた状態である「閉状態」を示す。
【００５２】
カバー型端末３０は、カバー部３１０を備える。カバー部３１０は、例えば樹脂材料等の柔軟な素材で形成される。カバー部３１０は、二つ折りが可能であり、矢印Ｃの方向に折り畳まれることで、開状態から閉状態に遷移する。開状態のとき、携帯端末１０の表示面１６１Ａは外部に露出した状態である。閉状態のとき、表示面１６１Ａはカバー部３１０によって覆われた状態である。カバー部３１０は、携帯端末１０を外部の衝撃等から保護する。
【００５３】
カバー部３１０のうち、携帯端末１０が装着される面の反対側の面には、表示面３６１Ａが設けられている。表示面３６１Ａは、ここでは表示面１６１Ａと同一形状で同一寸法である。カバー部３１０が閉状態のとき、表示面３６１Ａを垂直な方向から見て、表示面３６１Ａと表示面１６１Ａとが重なるように、表示面３６１Ａの位置は決められている。
なお、ここでは、表示面１６１Ａと表示面３６１Ａとが領域全体において重なるものとするが、少なくとも一部の領域が重なっていればよい。
【００５４】
図１３は、携帯端末１０、及びカバー型端末３０の構成の一例を示す図である。携帯端末１０の構成は、上述した第１実施形態と同じである。ただし、センサ部１５２は、カバー型端末３０が開状態か又は閉状態かを判定するための情報を検知する。センサ部１５２は、例えば、磁気近接センサ、又は照度センサを用いて、開閉の状態を検知する。例えば、磁気近接センサは、カバー部３１０の内部に設けられた磁石の磁力に基づいて、開閉状態を検知する。照度センサは、カバー部３１０の開閉により変化する照度に基づいて、開閉状態を検知する。開閉状態の検知については、様々な公知技術を適用し得る。
【００５５】
カバー型端末３０は、物理的には、プロセッサ３１、メモリ３２、ストレージ３３、通信装置３４、入力装置３５、及び出力装置３６等を含むコンピュータ装置として構成される。これらの各要素は、ここでは、大略、携帯端末１０の同名の要素と同じ構成である。
ただし、センサ部３５１は、カバー型端末３０が開状態か又は閉状態かを判定するための情報を検知する。センサ部３５１は、例えば、カバー部３１０の開閉状態に応じてオンオフが切り替わる物理的なスイッチのオンオフを検知する。開閉状態の検知については、様々な公知技術を提供し得る。また、表示部３６１は、表示面３６１Ａに情報を表示する。表示面３６１Ａは、例えば電子ペーパである。ここでは、表示部３６１の単位時間当たりの消費電力量は、表示部１６１のそれよりも少ないものとする。
なお、携帯端末１０とカバー型端末３０とは、無線の通信以外の方法で通信してもよい。例えば、携帯端末１０がカバー型端末３０に装着されたときに、コネクタを介して接続され、当該コネクタを介した通信が行われてもよい。
【００５６】
次に、携帯端末１０のプロセッサ１１、及びカバー型端末３０のプロセッサ３１の機能構成を説明する。プロセッサ１１は、表示制御部１１１、検知部１１２、及び出力部１１３を含む。これらの機能は、上述した第１実施形態と同じである。ただし、表示制御部１１１は、カバー部３１０が表示面１６１Ａを覆うと、表示面１６１Ａの表示を停止する。
【００５７】
プロセッサ３１は、検知部３１１と、取得部３１２と、表示制御部３１３とを含む。
検知部３１１は、重なり検知を行う。検知部３１１が行う重なり検知は、表示面３６１Ａに垂直な方向から見て、表示面３６１Ａと表示面１６１Ａとが重なるかどうかを検知することを示す。ここでは、検知部３１１は、センサ部３５１を用いてカバー部３１０が閉状態であることを検知した場合に、表示面３６１Ａと表示面１６１Ａとが重なっていることを検知する。
【００５８】
取得部３１２は、表示面３６１Ａと表示面１６１Ａとが重なることが検知された場合に、表示面１６１Ａに表示されている第２表示情報に応じた第１表示情報を、通信装置３４を用いて取得する。この第１表示情報は、出力部１１３によって出力された第１表示情報である。
【００５９】
表示制御部３１３は、表示部３６を制御して、表示面３６１Ａに第１表示情報を表示する。表示制御部３１３は、例えば、検知部３１１により表示面３６１Ａと表示面１６１Ａとが重なっていることが検知された場合に、取得部３１２により取得された第１表示情報を、表示面３６１Ａに表示する。表示制御部３１３は、開状態の期間においては、表示面３６１Ａの表示を停止させておいてもよいし、何らかの表示をしていてもよい。表示制御部３１３は、例えば、ストレージ３３に記憶されたプログラムに基づいて、各種の画面を表示してもよい。
【００６０】
図１４は、表示システム１Ａで実行される処理を示すフローチャートである。携帯端末１０、及びカバー型端末３０は、以下で説明する処理を逐次実行する。図１５、及び図１６は、携帯端末１０、及びカバー型端末３０の表示制御の具体例を説明する図である。
携帯端末１０において表示制御部１１１は、表示部１６１を制御して、表示面１６１Ａに第１表示情報を表示する（ステップＳ３１）。ここでは、図１５に示す第２表示情報ＩＭ１５が、表示面１６１Ａに表示されるものとする。次に、検知部１１２は、カバー部３１０の開閉状態の検知を行う（ステップＳ３２）。そして、検知部１１２は、この結果に基づいて、カバー部３１０が閉状態であるかどうかを判断する（ステップＳ３３）。ステップＳ３３で「ＮＯ」と判断された場合、携帯端末１０の処理は、ステップＳ３２に戻される。カバー部３１０が閉状態でない期間、例えば開状態である期間、又は携帯端末１０がカバー型端末３０に装着されていない期間は、ステップＳ３２〜Ｓ３３の処理が繰り返される。
【００６１】
他方、カバー型端末３０においては、検知部３１１はカバー部３１０の開閉状態の検知を行う（ステップＳ４１）。そして、検知部３１１は、この検知の結果に基づいて、カバー部３１０が閉状態になったかどうかを判断する（ステップＳ４２）。ステップＳ４２で「ＮＯ」と判断された場合、カバー型端末３０の処理は、ステップＳ４１に戻される。カバー部３１０が閉状態でない期間、例えば開状態である期間、又は携帯端末１０がカバー型端末３０に装着されていない期間は、ステップＳ４１〜Ｓ４２の処理が繰り返される。
【００６２】
ここで、カバー部３１０が閉状態になった場合を考える。この場合、携帯端末１０において検知部１１２は、ステップＳ３３で、カバー部３１０が閉状態であると判断する（ステップＳ３３；ＹＥＳ）。次に、出力部１１３は、携帯端末２０から、通信装置１４を介して、当該携帯端末２０で閉状態になった旨の通知を受け付けたかどうかを判断する（ステップＳ３４）。この通知を受け付けるまで（ステップＳ３４；ＮＯ）、出力部１１３は待機する。
【００６３】
他方、カバー型端末３０において検知部３１１は、ステップＳ４２で、カバー部３１０が閉状態になったと判断する（ステップＳ４２；ＹＥＳ）。次に、検知部３１１は、通信装置３４を用いて、閉状態になった旨を携帯端末１０へ通知する（ステップＳ４３）。
【００６４】
携帯端末１０において出力部１１３は、カバー型端末３０からの通知を受け付けたと判断すると（ステップＳ３４；ＹＥＳ）、現在表示面１６１Ａに表示されている第２表示情報に応じた第１表示情報を、通信装置１４を用いて、カバー型端末３０へ出力する（ステップＳ３５）。そして、表示制御部１１１は、表示部１６を制御し、表示面１６１Ａの表示を停止させる（ステップＳ３６）。
【００６５】
カバー型端末３０において取得部３１２は、出力部１１３により出力された第１表示情報を、通信装置３４を用いて取得する（ステップＳ４４）。
【００６６】
次に、表示制御部３１３は、取得された第１表示情報を、表示面３６１Ａに表示する（ステップＳ４５）。ここでは、図１６に示すように、第１表示情報ＩＭ２５が、表示面３６１Ａに表示される。第１表示情報ＩＭ２５は、第２表示情報ＩＭ１５の要素をそのまま複製したものである。よって、見かけ上、表示面１６１Ａと同じ画面が表示面３６１Ａにも表示されたことになる。第２表示情報ＩＭ１５がｗｅｂページである場合、第１表示情報ＩＭ２５もｗｅｂページであるものとする。つまり、本実施形態では、第２表示情報ＩＭ１５のファイル形式と第１表示情報ＩＭ２５のファイル形式とは同じであるものとする。
【００６７】
以上説明したように、ユーザは、携帯端末１０を装着したカバー型端末３０を閉状態にすることで、表示面１６１Ａに表示中の第２表示情報と同じ内容の第１表示情報を、表示面３６１Ａに表示させることができる。これにより、ユーザは、携帯端末１０の画面を、カバー型端末３０に複製させて、これを閲覧することができる。表示部１６１，３６１の構成の相違により、カバー型端末３０の単位時間当たりの消費電力量は携帯端末１０のそれよりも少ないので、ユーザが同じ画面を閲覧し続けたい場合でも、表示システム１Ａ全体の消費電力量は低減する。
【００６８】
ところで、カバー型端末３０は２つ折り可能な形態でなくてもよい。図１７、及び図１８は、表示システム１Ｂの構成を示す図である。図１７、及び図１８には、携帯端末１０が装着されたときのカバー型端末３０Ａの平面図、及び下側面図が示されている。図１７に示す図は、カバー部３１０Ａが開状態のときを示す図である。図１８に示す図は、カバー部３１０Ａが閉状態のときに、裏側からカバー型端末３０を見た様子を示す図である。
【００６９】
カバー型端末３０Ａは、３つ折りが可能なカバー部３１０Ａを備える。カバー部３１０Ａは、図１７に示す矢印Ｃ２，Ｃ１の方向に折り畳まれることで、開状態から閉状態に遷移する。カバー部３１０Ａのうち、携帯端末１０が装着される面の反対側の面には、表示面３６１Ａが設けられている。表示面３６１Ａは、ここでも、表示面１６１Ａと同一形状で同一寸法である。また、カバー部３１０Ａが閉状態のとき、表示面３６１Ａを垂直な方向から見て、表示面３６１Ａと表示面１６１Ａとが重なるように、表示面３６１Ａの位置は決められている。
なお、カバー部の折り畳み可能な回数は、４回以上であってもよい。また、カバー部３１０は、箱型等の携帯端末１０を収容可能な構成でもよく、少なくとも表示面１６１Ａを覆うことが可能なカバーを構成していればよい。
【００７０】
更に、携帯端末１０に代えて、複数の表示面を備える携帯端末が用いられてもよい。図１９、及び図２０は、表示システム１Ｃの構成を示す図である。図１９、及び図２０には、カバー型端末３０Ｂに携帯端末１０Ｂが装着されたときの平面図、及び下側面図が示されている。携帯端末１０Ｂは、第１本体部３０１と、第２本体部３０２とを備える。図１９に示す図は、カバー部３１０Ｂが「開状態」のときの図である。図２０に示す図は、カバー部３１０Ｂが「閉状態」のときの図である。携帯端末１０Ｂは、第１本体部３０１と第２本体部３０２とがヒンジ等の部材で接続されることで、矢印Ｃ３の方向に２つに折り畳むことが可能になっている。第１本体部３０１には表示面１６２Ａが、第２本体部３０２には表示面１６３Ａが設けられている。表示面１６２Ａ，１６３Ａは、カバー部３１０Ｂに直接接するように配置されている。このとき、表示面１６２Ａ，１６３Ａと重なる位置に、表示面３６２Ａ，３６３Ａが配置されている。
【００７１】
図２１は、携帯端末１０のプロセッサ１１、及びカバー型端末３０Ｂのプロセッサ３１の構成を示すブロック図である。本実施形態では、出力装置１６が表示部１６２，１６３を有し、それぞれ、表示面１６２Ａ，１６３Ａに情報を表示する。表示制御部１１１は、２つの表示面１６２Ａ，１６３Ａへの情報の表示を制御する。また、出力装置３６が表示部３６２，３６３を有し、それぞれ、表示面３６２Ａ，３６３Ａに情報を表示する。表示制御部３１３は、２つの表示面３６２Ａ，３６３Ａへの情報の表示を制御する。この実施形態においても、表示制御部１１１は、開状態では表示面１６２Ａ，１６３Ａに第２表示情報を表示させる。そして、カバー部３１０Ｂが開状態から閉状態に切り替わると、表示制御部１１１は表示面１６２Ａ，１６３Ａの表示を停止させる。一方、表示制御部３１３は、開状態では、表示面３６２Ａ，３６３Ａに表示をさせない。そして、開状態から閉状態に切り替わると、表示制御部３１３は表示面３６２Ａ，３６３Ａに第１表示情報を表示させる。例えば、表示面１６２Ａに表示されている第２表示情報に応じた第１表示情報が表示面３６２Ａに、表示面１６３Ａに表示されている第２表示情報に応じた第１表示情報が表示面３６３Ａに、それぞれ表示される。
このように、複数の表示面を有する携帯端末にも本発明を適用し得る。また、携帯端末が有する表示面の数は３以上であってもよい。この場合、例えばこれと同数の表示面が、カバー型端末に設けられる。
【００７２】
［変形例］
本発明は、上述した実施形態と異なる形態で実施してもよい。また、以下に示す変形例は、各々を組み合わせてもよい。
（変形例１）
本発明の携帯端末１０は、腕時計型やリストバンド型等のウェアラブルコンピュータでもよい。この種の装置では、表示部の表示面のサイズが比較的小さい。そこで、かかるウェアラブルコンピュータの表示面よりも大きい表示面を備える携帯端末に、第１表示情報を表示させてもよい。これにより、視認性が悪い、小さいサイズの表示面に表示された情報を、ユーザの簡易な動作によって、より大きな表示面に拡大して表示させることができる。このように、本発明の表示装置は、表示面を有していれば、どのような装置でもよい。本発明の表示装置は、携帯端末でなくてもよい。
【００７３】
（変形例２）
上述した実施形態で説明した構成の一部が省略されてもよい。例えば、重なり合った時の位置関係によらず表示を行ってもよいし、受付部２１４の受け付けた情報に応じて表示制御する構成を有しなくてもよい。また、重なり検知、又は開閉状態の検知は、表示システムを構成する少なくとも一の装置が行えばよい。この場合、他の装置は当該一の装置からの通知に基づいて、重なり検知、又は開閉状態の検知を行ってもよい。
【００７４】
（変形例３）
本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【００７５】
（変形例４）
入出力された情報等は特定の場所（例えば、メモリ）に保存されてもよいし、管理テーブルで管理してもよい。入出力される情報等は、上書き、更新、又は追記され得る。出力された情報等は削除されてもよい。入力された情報等は他の装置へ送信されてもよい。
【００７６】
（変形例５）
判定は、１ビットで表される値（０か１か）によって行われてもよいし、真偽値（Boolean：true又はfalse）によって行われてもよいし、数値の比較（例えば、所定の値との比較）によって行われてもよい。
【００７７】
（変形例６）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するよう広く解釈されるべきである。また、ソフトウェア、命令等は、伝送媒体を介して送受信されてもよい。例えば、ソフトウェアが、同軸ケーブル、光ファイバケーブル、ツイストペア及びデジタル加入者回線（ＤＳＬ）等の有線技術及び／又は赤外線、無線及びマイクロ波等の無線技術を使用してウェブサイト、サーバ、又は他のリモートソースから送信される場合、これらの有線技術及び／又は無線技術は、伝送媒体の定義内に含まれる。
【００８０】
本明細書で説明した情報、信号等は、様々な異なる技術のいずれかを使用して表されてもよい。例えば、上記の説明全体に渡って言及され得るデータ、命令、コマンド、情報、信号、ビット、シンボル、チップ等は、電圧、電流、電磁波、磁界若しくは磁性粒子、光場若しくは光子、又はこれらの任意の組み合わせによって表されてもよい。
【００８１】
なお、本明細書で説明した用語及び／又は本明細書の理解に必要な用語については、同一の又は類似する意味を有する用語と置き換えてもよい。
【００８２】
明細書で使用する「システム」及び「ネットワーク」という用語は、互換的に使用される。
【００８３】
また、本明細書で説明した情報、パラメータ等は、絶対値で表されてもよいし、所定の値からの相対値で表されてもよいし、対応する別の情報で表されてもよい。
【００８４】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）したことを「判断」「決定」したとみなすこと等を含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）したことを「判断」「決定」したとみなすこと等を含み得る。また、「判断」、「決定」は、解決（resolving）、選択（selecting）、選定（choosing）、確立（establishing）、比較（comparing）等したことを「判断」「決定」したとみなすことを含み得る。つまり、「判断」「決定」は、何らかの動作を「判断」「決定」したとみなすことを含み得る。
【００８５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８６】
「含む（including）」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００８７】
（変形例７）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【符号の説明】
【００８８】
１，１Ａ，１Ｂ，１Ｃ…表示システム、１０，１０Ｂ，２０…携帯端末、１１，２１，３１…プロセッサ、１１１，２１３，３１３…表示制御部、１１２，２１１，３１１…検知部、１１３…出力部、１２，２２，３２…メモリ、１３，２３，３３…ストレージ、１４，２４，３４…通信装置、１５，２５，３５…入力装置、１５１，２５１…撮像部、１５２，２５２，３５１…センサ部、１６，２６，３６…出力装置、１６１，２６１，３６１，３６２，３６３…表示部、１６１Ａ，２６１Ａ，３６１Ａ，３６２Ａ，３６３Ａ…表示面、２１２，３１２…取得部、３０，３０Ａ，３０Ｂ…カバー型端末、３０１…第１本体部、３０２…第２本体部、３１０，３１０Ａ，３１０Ｂ…カバー部。
【図１】
2018128912.tif 000003
【図２】
2018128912.tif 000004
【図３】
2018128912.tif 000005
【図４】
2018128912.tif 000006
【図５】
2018128912.tif 000007
【図６】
2018128912.tif 000008
【図７】
2018128912.tif 000009
【図８】
2018128912.tif 000010
【図９】
2018128912.tif 000011
【図１０】
2018128912.tif 000012
【図１１】
2018128912.tif 000013
【図１２】
2018128912.tif 000014
【図１３】
2018128912.tif 000015
【図１４】
2018128912.tif 000016
【図１５】
2018128912.tif 000017
【図１６】
2018128912.tif 000018
【図１７】
2018128912.tif 000019
【図１８】
2018128912.tif 000020
【図１９】
2018128912.tif 000021
【図２０】
2018128912.tif 000022
【図２１】
2018128912.tif 000023